【手続補正書】
【提出日】平成27年12月21日(2015.12.21)
【手続補正１】
【補正対象書類名】特許請求の範囲
【補正対象項目名】全文
【補正方法】変更
【補正の内容】
【特許請求の範囲】
【請求項１】
撮像素子と、
動画を解析することで撮影シーンを判定し、
前記撮影シーンに基づいて、複数のブラケットモードの中から、いずれかのブラケットモードを選択し、
前記撮像素子を用いて前記いずれかのブラケットモードを行うシステム制御部と、を有し、
それぞれの前記ブラケットモードによって変更されるパラメータのタイプは互いに異なり、前記システム制御部は、判定された前記撮影シーンが、前記複数のブラケットモードのうちの２種類以上のブラケットモードに適している場合であっても、いずれか一つのブラケットモードを選択することを特徴とする撮像装置。
【請求項２】
前記システム制御部は、被写体が人であるか否かを判定するものであって、
前記システム制御部は、前記被写体が人であるか否かの判定の結果に応じて、いずれかのブラケットモードを選択する方法を異ならせることを特徴とする請求項１に記載の撮像装置。
【請求項３】
撮像素子と、
動画を解析することで撮影シーンを判定し、
前記撮影シーンに基づいて、複数のブラケットモードの中から、いずれかのブラケットモードを選択し、
前記撮像素子を用いて前記いずれかのブラケットモードを行うシステム制御部と、を有し、
それぞれの前記ブラケットモードによって変更されるパラメータのタイプは互いに異なり、前記システム制御部は、被写体が人であるか否かを判定するものであって、
前記システム制御部は、前記被写体が人であるか否かの判定の結果に応じて、いずれかのブラケットモードを選択する方法を異ならせることを特徴とする撮像装置。
【請求項４】
前記システム制御部が、前記撮影シーンに含まれる少なくとも二つの被写体の間に所定の距離以上の距離差があると判定した場合、前記システム制御部は、フォーカスブラケットモードを選択することを特徴とする請求項１乃至３のいずれか１項に記載の撮像装置。
【請求項５】
前記システム制御部が前記撮影シーンのコントラストが所定のコントラストよりも高いコントラストであると判定した場合、前記システム制御部は、露出ブラケットモードを選択することを特徴とする請求項１乃至４のいずれか１項に記載の撮像装置。
【請求項６】
前記システム制御部が前記撮影シーンの被写体または前記撮像装置が動いていると判定した場合、前記システム制御部は、シャッタースピードブラケットモードまたは連写撮影モードを選択することを特徴とする請求項１乃至５のいずれか１項に記載の撮像装置。
【請求項７】
前記撮像素子を使用して得られた撮影画像に対して、複数の種類のブラケット画像処理を行うことにより、複数の画像を生成する画像処理手段を更に有することを特徴とする請求項１乃至６のいずれか１項に記載の撮像装置。
【請求項８】
前記画像処理手段は、前記システム制御部により選択された前記いずれかのブラケットモードに応じて、前記ブラケット画像処理で変更される前記パラメータの種類を選択することを特徴とする請求項７に記載の撮像装置。
【請求項９】
撮像素子と、
動画を解析することで撮影シーンを判定し、
前記撮像素子を使用して、前記撮影シーンに基づいて、ブラケット撮影を行うシステム制御部と、
前記ブラケット撮影で得られた撮影画像に対して、複数の種類のブラケット画像処理を行うことにより、複数の画像を生成する画像処理手段と、を有することを特徴とする撮像装置。
【請求項１０】
前記システム制御部は、前記撮影シーンに基づいて、互いにパラメータの変更の仕方が異なる複数のブラケット撮影の中から、いずれかのブラケット撮影を選択し、
前記画像処理手段は、前記システム制御部がどのブラケット撮影を選択したかに応じて、前記複数の種類のブラケット画像処理を決定することを特徴とする請求項９に記載の撮像装置。
【請求項１１】
前記画像処理手段で生成された複数の画像と、前記ブラケット撮影で得られた撮影画像であって、前記ブラケット画像処理が行われていない少なくとも１つの画像を表示する表示手段を更に有することを特徴とする請求項９または１０に記載の撮像装置。
【請求項１２】
動画を解析することで撮影シーンを判定する判定ステップと、
前記判定ステップにおいて判定された前記撮影シーンに基づいて、複数のブラケットモードの中から、いずれかのブラケットモードを選択する選択ステップと、
前記選択ステップにおいて選択された前記いずれかのブラケットモードを行う撮影ステップと、を有し、
それぞれの前記ブラケットモードによって変更されるパラメータのタイプは互いに異なり、前記選択ステップでは、前記判定ステップにおいて判定された前記撮影シーンが、前記複数のブラケットモードのうちの２種類以上のブラケットモードに適している場合であっても、いずれか一つのブラケットモードを選択することを特徴とする撮像装置の制御方法。
【請求項１３】
動画を解析することで撮影シーンを判定する判定ステップと、
前記判定ステップにおいて判定された前記撮影シーンに基づいて、ブラケット撮影を行う撮影ステップと、
前記撮影ステップで得られた撮影画像に対して、複数の種類のブラケット画像処理を行うことにより、複数の画像を生成する画像処理ステップと、を有することを特徴とする撮像装置の制御方法。
【請求項１４】
動画を解析することで撮影シーンを判定する判定ステップと、
前記判定ステップにおいて判定された前記撮影シーンに基づいて、複数のブラケットモードの中から、いずれかのブラケットモードを選択する選択ステップと、
前記選択ステップにおいて選択された前記いずれかのブラケットモードを行う撮影ステップと、を有し、
それぞれの前記ブラケットモードによって変更されるパラメータのタイプは互いに異なり、前記判定ステップにおいて、被写体が人であるか否かを判定され、
前記選択ステップにおいて、前記被写体が人であるか否かの判定の結果に応じて、いずれかのブラケットモードを選択する方法を異ならせることを特徴とする撮像装置の制御方法。
【手続補正２】
【補正対象書類名】明細書
【補正対象項目名】発明の名称
【補正方法】変更
【補正の内容】
【発明の名称】撮像装置、および、撮像装置の制御方法
【手続補正３】
【補正対象書類名】明細書
【補正対象項目名】０００７
【補正方法】変更
【補正の内容】
【０００７】
本発明の一側面としての撮像装置は、撮像素子と、動画を解析することで撮影シーンを判定し、前記撮影シーンに基づいて、複数のブラケットモードの中から、いずれかのブラケットモードを選択し、前記撮像素子を用いて前記いずれかのブラケットモードを行うシステム制御部と、を有し、それぞれの前記ブラケットモードによって変更されるパラメータのタイプは互いに異なり、前記システム制御部は、判定された前記撮影シーンが、前記複数のブラケットモードのうちの２種類以上のブラケットモードに適している場合であっても、いずれか一つのブラケットモードを選択する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
本発明の他の側面としての撮像装置の制御方法は、動画を解析することで撮影シーンを判定する判定ステップと、前記判定ステップにおいて判定された前記撮影シーンに基づいて、複数のブラケットモードの中から、いずれかのブラケットモードを選択する選択ステップと、前記選択ステップにおいて選択された前記いずれかのブラケットモードを行う撮影ステップと、を有し、それぞれの前記ブラケットモードによって変更されるパラメータのタイプは互いに異なり、前記選択ステップでは、前記判定ステップにおいて判定された前記撮影シーンが、前記複数のブラケットモードのうちの２種類以上のブラケットモードに適している場合であっても、いずれか一つのブラケットモードを選択する。